(57)【要約】【課題】  リング式紡績機が押えつけ装置の機能をカバーと一致させることによってリング式紡績機の構成を簡略化すること。【解決手段】  構成部材を備えるリング式紡績機では軸受ケーシング（３）からの意図的でない引き抜きに対する複数のスピンドル（４）の確保並びに回転する接線ベルト（６）の意図的でない接触に対する保護を達成するために、水平脚（１０）と垂直脚（１１）とを備えるアングル（９）が提案されている。アングル（９）の垂直脚（１１）はスピンドルによって貫通突き出され、水平脚にまで延びている隙間（１２）を有する。水平脚に延びる隙間はスピンドルの周辺溝（１４）に突き出し、意図的でない引き抜きに対するスピンドルを確保する。垂直脚の隙間間に延びるタブ（１３）が接線ベルトの前に存在し、その意図的でない接触を阻止する。
2008513610.tif 000002
【特許請求の範囲】
【請求項１】
軸受ケーシングから取り出しできるスピンドルとスピンドルの接線ベルト駆動部とを備えるリング式紡績機において、複数のスピンドル（４）に延びているアングル（９）は水平脚（１０）と垂直脚（１１）を備えていて、その垂直脚は各スピンドルにおける垂直脚に隙間（１２）を有し、その隙間はスピンドルを半円状に包囲して、各スピンドルの周辺溝（１４）に係合して水平アングル（１０）に延びており、垂直脚の残留タブ（１３）が正接ベルトの前に位置することを特徴とするリング式紡績機。
【請求項２】
アングル（９）はリング式紡績機の固定構成部材（８）に分解可能に固定されていることを特徴とする請求項１に記載のリング式紡績機。
【請求項３】
アングル（９）は少なくとも一つの長孔（１７）を介して少なくとも一本のボルト（１６）によってリング式紡績機の固定構成部材（８）に固定されていることを特徴とする請求項２に記載のリング式紡績機。
【発明の詳細な説明】
【技術分野】
【０００１】
この発明は、軸受ケーシングから取り出しできるスピンドルとスピンドルの接線ベルト駆動部とを備えるリング式紡績機に関する。
【背景技術】
【０００２】
リング式紡績スピンドルは、あらゆる場合に所謂押えつけ装置を必要であり、その装置によって、スピンドル上部材がおよそ完全紡錘状巻糸の引き抜きの際に軸受ケーシングから引き出されることが阻止されている。しかし、この押えつけ装置は、分解できなければならない、それ故に、これが必要であるときにスピンドル上部材が取り出され得る。
【０００３】
この種の押えつけ装置としては、多数の実施態様が知られており、オー・ハイメラン（Ｏ．Ｈeimeran)著、テキスタイル・プラスチス（TEXTIL-PRAXIS)の「紡績撚糸機におけるスピンドル上部材の意図的でない引き上げに対する安全性の開発」、１９６２年、７６９−７７３頁と８９９−９０４頁（非特許文献１）を参照。
【０００４】
ドイツ特許第４４１４４５０号明細書（特許文献１）の新たな押えつけ装置は、殆どはスピンドル列に沿って移動できる押えつけレールを有し、その際にそのスピンドルの周辺溝に係合する押えつけ輪郭が周辺溝と噛み合わない。ドイツ特許出願公開第３８３９０２５号明細書（特許文献２）では、押えつけ装置が公示されており、スピンドルに個別の押えつけ体が付属されていて、個々の押えつけ体が個々に並びに多数のスピンドルにも同時にスピンドル上部材と噛み合わされ得ない。      
【０００５】
特にリング式紡績機における接線ベルト駆動部は接線ベルトの回転部にはカバーを必要とし、その接線ベルトによって回転する接線ベルトの間違いによる接触とそれにより起こる損傷が阻止される。このために、接線ベルトを受けるスピンドルバンクに固定的に或いは分離可能に配置されているカバー薄板が周知である。それで、ドイツ特許第２７０８５５４号明細書（特許文献３）とドイツ特許第３８２７８９９号明細書（特許文献４）はスピンドルバンクに固定されたカバーを示し、ドイツ実用新案第７４３３５０８号明細書（特許文献５）は分離可能にスピンドルバンクに連接されたカバーを示す。
【特許文献１】ドイツ特許第４４１４４５０号明細書
【特許文献２】ドイツ特許出願公開第３８３９０２５号明細書
【特許文献３】ドイツ特許第２７０８５５４号明細書
【特許文献４】ドイツ特許第３８２７８９９号明細書
【特許文献５】ドイツ実用新案第７４３３５０８号明細書
【非特許文献１】Ｏ．Ｈeimeran 著、TEXTIL-PRAXIS の「紡績撚糸機におけるスピンドル上部材の意図的でない引き上げに対する安全性の開発」、１９６２年、７６９−７７３頁と８９９−９０４頁。
【発明の開示】
【発明が解決しようとする課題】
【０００６】
この発明の課題は、リング式紡績機が押えつけ装置の機能をカバーと一致させることによってリング式紡績機の構成を簡略化することである。
【課題を解決するための手段】
【０００７】
それ故に、両課題は構成部材のみによって解決され得る。
【０００８】
この発明のアングルは分解可能にリング式紡績機の固定構成部材と連結されている。好ましくは、このアングルは長孔を通して係合する締付けボルトによって構成部材に固定されている。
【発明を実施するための最良の形態】
【０００９】
図面の図には、この発明の実施例が例として図示されている。
【００１０】
リング式紡績機の両長さ側面では、管状スピンドル長手支持体１と２にはスピンドル４の軸受ケーシング３が固定されている。スピンドルの紡錘状巻糸を支持する上部材はここでは図示されていない。スピンドル４は紡ぎ車５にて共通接線ベルト６によって駆動される。この接線ベルトは押圧ロール７によって紡ぎ車５に押圧されている。押圧ロールの支持と固定はここでは再生されない。
【００１１】
リング式紡績機の８で示された構成部材には、およそ中間支柱の一部には薄板アングル９が固定されており、このアングルは水平脚１０と垂直脚１１とを有する。薄板アングルは目的に適った形式に中間支柱から中間支柱まで延びている。垂直脚１１はスピンドルの領域に位置し、それ故に隙間１２を有し、その隙間を通してスピンドルが延びている。隙間１２間に残るタブ１３は接線ベルト６の前に位置する。
【００１２】
隙間１２は、図２から認識できるように、スピンドル４を半円状に包囲して水平脚１０にも延びている。この隙間１２がスピンドルの周辺溝１４に係合し、このために、隙間１２が垂直脚１１にセットバック１５を有する。
【００１３】
水平脚１０の隙間１２がスピンドル４の周辺溝１４に係合することによって、この隙間がその軸受ケーシング３からのスピンドルの引き出しを阻止する。垂直脚１１のタブ１３が接線ベルト６の前に位置することによって、タブは線接ベルトの意図的でない接触を阻止する。          
【００１４】
薄板アングル９が構成部材に固定されている一本或いは複数本のボルトの解放後に、長孔１７内のこのボルトが戻して移動され得るので、この領域におけるスピンドルが取り出され得る。この長孔１７は、水平脚１０の隙間１２が周辺溝１４から突き出すように、長い。タブ１３と接線ベルト６の間の間隔は、この間隔が薄板アングル９の戻し移動を許容するように、大きい。
【００１５】
薄板アングル９は好ましくは鋼薄板から成る。けれども、この薄板アングルは合成樹脂からも製造され得る。
【図面の簡単な説明】
【００１６】
【図１】スピンドルバンクの部分の正面図を示す。
【図２】スピンドルバンクの部分の平面図を示す。
【符号の説明】
【００１７】
１、２．．．．スピンドル長手支持体
３．．．．．軸受ケーシング
４．．．．．スピンドル
５．．．．．紡ぎ車
６．．．．．接線ベルト
７．．．．．押圧ロール
８．．．．．構成部材
９．．．．．薄板アングル
１０．．．．水平脚
１１．．．．垂直脚
１２．．．．隙間
１３．．．．タブ
１４．．．．周辺溝
１５．．．．セットバック
１６．．．．ボルト
１７．．．．長孔
【図１】
2008513610.tif 000003
【図２】
2008513610.tif 000004
【国際調査報告】
2008513610.tif 000005
2008513610.tif 000006
2008513610.tif 000007
2008513610.tif 000008